(57)【要約】      （修正有）【課題】マガジン内の全ての弾丸が有効に用いられ、弾丸がマガジン内に残る不具合を防止する玩具銃のマガジン弾丸装填構造を提供する。【解決手段】一端に外部に通じる開口を設け、もう一端には少なくとも発射準備する弾丸Ａを収容するチャンバーを接合するマガジンスロット１５を内設する銃本体１と、銃本体の開口よりマガジンスロットに挿入され、弾丸を収納し、一端にはチャンバーの弾丸排出口に通じ、もう一端には付勢コイル３３を設ける長手収納スペースを有するマガジン３と、接続素子２２、結合素子２１及び弾押し素子２３とから構成され、結合素子は付勢コイルに係止し、弾押し素子は結合素子より離れた一端に長手収納スペース内の弾丸を弾丸排出口に向けて押出す円弧部を有している。【選択図】図７
0003189922.tif 000002
【実用新案登録請求の範囲】
【請求項１】
一端には外部に通じる開口を設け、もう一端には少なくとも発射準備する弾丸を収容する一のチャンバーを接合する一のマガジンスロットを内設し、一のバッテリを設ける一の銃本体と、
該銃本体の該開口より該マガジンスロットに挿入され、弾丸を収納し、一端には該チャンバーの弾丸排出口に通じ、もう一端には付勢コイルを設ける一の長手収納スペースを有する一のマガジンと、
該長手収納スペース内に設けられ、一の接続素子とそれぞれ該接続素子の両端に枢結する一の結合素子及び一の弾押し素子とから構成し、該結合素子は該付勢コイルに係止し、該弾押し素子は該結合素子より離れた一端に長手収納スペース内の弾丸を係止する円弧部を設ける弾押しコンポーネントと、を包括していることを特徴とする玩具銃のマガジン弾丸装填構造。
【請求項２】
該接続素子は、互いに対応する第一及び第二枢結孔を有しており、該結合素子と該弾押し素子とは突出する一の枢結部をそれぞれ設けており、これら枢結部を利用して該第一及び該第二枢結孔にそれぞれ嵌入することで、該結合素子及び該弾押し素子は、それぞれ接続素子と枢結構成を形成することを特徴とする請求項１に記載の玩具銃のマガジン弾丸装填構造。
【請求項３】
該接続素子は、該第一及び該第二枢結孔の周囲において、円弧状に外部に向かって広がる第一及び第二凸出部をそれぞれ設けており、該結合素子及び該弾押し素子はそれぞれ各枢結部の付近に陥凹する一の収容槽を設け、該第一及び該第二凸出部を該収容槽にそれぞれ枢結することで、素子同士の離脱を防止する枢結構成を形成することを特徴とする請求項２に記載の玩具銃のマガジン弾丸装填構造。
【請求項４】
該弾押し素子は、少なくともその側面の中間部分に陥凹する一の側面凹部を設けることを特徴とする請求項１に記載の玩具銃のマガジン弾丸装填構造。
【請求項５】
該接合素子は、該付勢コイルの一端に嵌入する一の下凸部を設けることを特徴とする請求項１に記載の玩具銃のマガジン弾丸装填構造。
【請求項６】
該マガジンは、一端において該銃本体の該開口の外側に係止することができる係止部を設けることを特徴とする請求項１に記載の玩具銃のマガジン弾丸装填構造。
【請求項７】
該マガジンの中間部分は、少なくとも短手方向に延在する一の凸部を設けており、該マガジンスロットの中間部分は該凸部に対応する中間部分に交差する一の横孔を設けており、該横孔は往復可能に滑走する一のラッチピンを内設けており、該ラッチピンの局部表面は突起する一の側面凸縁を設けており、該側面凸縁は該ラッチピンが局部を往復可能に滑走する際該マガジンの該凸部に係止することを特徴とする請求項１に記載の玩具銃のマガジン弾丸装填構造。
【請求項８】
該横孔は、長手方向に平行して延在する一の凸柱を内設しており、該ラッチピンは該凸柱に対応して嵌合する一の凹孔を設けており、該凹孔底部と該凸柱との間に、該ラッチピンが外力を受けたあと元の位置に戻すための一のリセットコイルを設けることを特徴とする請求項７に記載の玩具銃のマガジン弾丸装填構造。
【請求項９】
該銃本体は、互いに相対して嵌合する二ハーフシェルから銃身、グリップ及び引き金等を構成しており、一の動力発射コンポーネントを銃身の一方に設置しており、該チャンバーは該銃身と該動力発射コンポーネントとの間に形成することを特徴とする請求項１に記載の玩具銃のマガジン弾丸装填構造。
【請求項１０】
該マガジンスロットは、銃本体のグリップ内に設置することを特徴とする請求項９に記載の玩具銃のマガジン弾丸装填構造。
【考案の詳細な説明】
【技術分野】
【０００１】
本考案は、一種の玩具銃のマガジン弾丸装填構造、特に弾丸の装填動作を円滑にすることができ、確実にマガジン内の全ての弾丸をチャンバーに送り込むことができる玩具銃のマガジン弾丸装填構造に関するものである。
【背景技術】
【０００２】
従来の空気の圧縮を利用してプラスチック弾丸を発射する玩具銃のマガジン構造において、プラスチック弾丸を収納する一の長手収納スロットと、該長手収納スロット底部に設けているいくつかの付勢コイルと、該付勢コイルの一端にプラスチック弾丸に接触する弾押し部材とを主に有しており、該付勢コイルの付勢を受けた該弾押し部材を利用し、各プラスチック弾丸を該長手収納スロットに沿って送り出し、逐次玩具銃の銃本体にあるチャンバーに送り込まれており、且つコストの考慮により、通常、弾押し部材は一体式に形成した構造が多い。
【０００３】
しかし、実際に応用する際、いろいろな玩具銃の形及び構造の変化に伴い、マガジンと銃本体との接合部分の形状、構造もともに異なるため、プラスチック弾丸がマガジンから銃本体（チャンバー）に送り込まれる過程も異なる方向に湾曲変化によってプラスチック弾丸を送り込む可能があり、このとき、上記の一体式に形成した該弾押し部材では、捻じれ或いは湾曲を行うことはできないため、マガジンを考案する際は、銃弾の送り出しの円滑性に影響を及ぼさないために、過度に湾曲した形状で起こる該弾押し部材の摩擦或いは停止を低減する必要があり、そうなると、玩具銃とそのマガジンに係る考案が制限される、つまり、一般的によく見るマガジンの構造のほとんどが直列式の構造となっている主な原因であると同時に、マガジンと銃本体との接合部分に角度が比較的小さい湾曲を有する場合、該弾押し部材が押出し過程、特にプラスチック弾丸が最後の一つ或いは複数の際該長手収納スロットで係止する状態となり、プラスチック弾丸がマガジン内に残るという使用上の不具合が起こる。
【０００４】
従って、従来の玩具銃のマガジン構造にある上記使用上の不具合を鑑み、考案者はこの問題に対して研究、改良を加え、本考案を創作するものである。
【考案の概要】
【考案が解決しようとする課題】
【０００５】
本考案の主要な目的は、異なる収納スロットに伴い湾曲し、マガジン内の最後の弾丸をチャンバーに送り込む弾押しコンポーネントを有する玩具銃のマガジン弾丸装填構造を提供するものであって、これによって確実にマガジン内の全ての弾丸が有効的に用いられ、弾丸がマガジン内に残るという使用上の不具合を防止するものである。
【０００６】
また、本考案のもう一つの目的は、弾押しコンポーネントがさまざまな異なるマガジン形状及びそれに関する銃本体機構との組合せに適応する玩具銃のマガジン弾丸装填構造を提供するものであって、広い適応範囲と好ましい経済的メリットとを有するだけでなく、弾丸の装填動作の円滑性も保持することができ、使用上のクオリティを向上するものである。
【課題を解決するための手段】
【０００７】
本考案は、上記の目的及び効果を達成するため、用いる技術的特徴は以下のとおりである。一端には外部に通じる開口を設け、もう一端には少なくとも発射準備する弾丸を収容する一のチャンバーを接合する一のマガジンスロットを内設する一の銃本体と、該銃本体の該開口より該マガジンスロットに挿入され、弾丸を収納し、一端には該チャンバーの弾丸排出口に通じ、もう一端には付勢コイルを設ける一の長手収納スペースを有する一のマガジンと、該長手収納スペース内に設けられ、一の接続素子とそれぞれ該接続素子の両端に枢結する一の結合素子及び一の弾押し素子とから構成し、該結合素子は該付勢コイルに係止し、該弾押し素子は該結合素子の一端に長手収納スペース内の弾丸を係止する円弧部を設ける弾押しコンポーネントとを包括している。
【０００８】
そのうち、該接続素子は、互いに対応する第一及び第二枢結孔を有しており、該結合素子と該弾押し素子とは突出する一の枢結部をそれぞれ設けており、これら枢結部を利用して該第一及び該第二枢結孔にそれぞれ嵌入することで、該結合素子及び該弾押し素子は、それぞれ接続素子と枢結構成を形成している。
【０００９】
そのうち、該接続素子は、該第一及び該第二枢結孔の周囲において、円弧状に外部に向かって広がる第一及び第二凸出部をそれぞれ設けており、該結合素子及び該弾押し素子はそれぞれ各枢結部の付近に陥凹する一の収容槽を設け、該第一及び該第二凸出部を該収容槽にそれぞれ枢結することで、素子同士の離脱を防止する枢結構成を形成している。
【００１０】
そのうち、該弾押し素子は、少なくともその側面の中間部分に陥凹する一の側面凹部を設けている。
【００１１】
そのうち、該接合素子は、該付勢コイルの一端に嵌入する一の下凸部を設けている。
【００１２】
そのうち、該マガジンは、一端において該銃本体の該開口の外側に係止することができる係止部を設けている。
【００１３】
そのうち、該マガジンの中間部分は、少なくとも短手方向に延在する一の凸部を設けており、該マガジンスロットの中間部分は該凸部に対応する中間部分に交差する一の横孔を設けており、該横孔は往復可能に滑走する一のラッチピンを内設けており、該ラッチピンの局部表面は突起する一の側面凸縁を設けており、該側面凸縁は該ラッチピンが局部を往復可能に滑走する際該マガジンの該凸部に係止している。
【００１４】
そのうち、該横孔は、長手方向に平行して延在する一の凸柱を内設しており、該ラッチピンは該凸柱に対応して嵌合する一の凹孔を設けており、該凹孔底部と該凸柱との間に、該ラッチピンが外力を受けたあと元の位置に戻すための一のリセットコイルを設けている。
【００１５】
そのうち、該銃本体は、互いに相対して嵌合する二ハーフシェルから銃身、グリップ及び引き金等を構成しており、一の動力発射コンポーネントを銃身の一方に設置しており、該チャンバーは該銃身と該動力発射コンポーネントとの間に形成している。
【００１６】
そのうち、該マガジンスロットは、銃本体のグリップ内に設置している。
【００１７】
なお、本考案の詳細な構造、応用する原理、作用及びその効果は、下記にある図面の説明で完全に理解することができる。
【図面の簡単な説明】
【００１８】
【図１】本考案及びそれに関するコンポーネントを表す構造分解図である。
【図２】本考案に係る弾押しコンポーネントを表す構造分解図である。
【図３】本考案に係る外観図である。
【図４】本考案に係る断面図である。
【図５】本考案に係る弾押しコンポーネントが弾丸を押出す動きを表す模式図（一）である。
【図６】本考案に係る弾押しコンポーネントが弾丸を押出す動きを表す模式図（二）である。
【図７】本考案に係る弾丸が銃本体に送り込まれた状態を表す模式図である。
【図８】本考案に係るマガジンがラッチピンによってポジショニングされた状態を表す模式図である。
【図９】本考案に係るラッチピンがマガジンを開放した状態を表す模式図である。
【図１０】本考案に係るマガジンがラッチピンより開放されたあと外側に取外す動きを表す模式図である。
【考案を実施するための形態】
【００１９】
図１乃至４を参照すると、本考案は主に、銃本体１、弾押しコンポーネント２及びマガジン３等の部材を含む構造となっていることが分かり、そのうち、銃本体１は互いに相対して嵌合するハーフシェル１０及び１００から銃身１１、グリップ１２及び引き金１３等を構成しており、該銃身１１の後端には一の動力発射コンポーネント１４が設置され、該銃身１１と動力発射コンポーネント１４とを組合わせたあと該ハーフシェル１０の前端にある一のバッテリ５の上方に設けられ、また該銃身１１と動力発射コンポーネント１４との間に発射準備する弾丸Ａを収容するチャンバー１５２が設けられており、該グリップ１２の内部には一のマガジンスロット１５及び一のモータ１２１が設けられ、該モータ１２１は一のギア機構１２２によって該動力発射コンポーネント１４を駆動して発射準備を完成させ、該マガジンスロット１５の一端には外部に通じる開口１５１が設けられ、且つ該マガジンスロット１５のもう一端には該チャンバー１５２が接合され、さらに該マガジンスロット１５の中間部分には一の横孔１６が設けられ、該横孔１６の一端は銃本体１にある一の欠口１６２により外部に通じ、該横孔１６において長手方向に平行して延在する一の凸柱１６１を設けており、一のラッチピン４は往復可能に滑走するよう該横孔１６内に設けられ、該ラッチピン４には該凸柱１６１に対応して嵌合する一の凹孔４１が設けられ、該凹孔４１の内部と該凸柱１６１との間には一のリセットコイル４１１が設けられ、該ラッチピン４の局部表面には突起する一の側面凸縁４２が設けられ、該ラッチピン４の一の側面にはスイッチ部４３が設けられ、該スイッチ部４３は該欠口１６２によって該横孔１６の外部に突出し、且つ該側面凸縁４２には該スイッチ部４３に向かって延伸する斜面が設けられ、これによって該スイッチ部４３は付勢するリセットコイル４１１の作用を受け、該ラッチピン４は該横孔１６内を往復可能に滑走する。
【００２０】
また、該マガジン３は、互いに相対するハーフケース３０及び３００を組合わせて形成しており、該銃本体１の該開口１５１より該マガジンスロット１５に挿入され、該マガジン３の内部には弾丸Ａを収納する長手収納スペース３１が有され、該長手収納スペース３１の一端には該チャンバー１５２に通じる弾丸排出口３１１が設けられ、該長手収納スペース３１のもう一端には一の付勢コイル３３が設けられており、該マガジン３は該弾丸排出口３１１より離れた一端に該銃本体１の該開口１５１の外側を係止する係止部３４を設けており、また該マガジン３の中間部分に少なくとも短手方向に突起した一の凸部３２を設け、該凸部３２は該側面凸縁４２にある斜面に相対して反対方向に延伸するもう一つの斜面を有している。
【００２１】
また、弾押しコンポーネント２は接続素子２２と、結合素子２１と、弾押し素子２３とから構成し、該接続素子２２には互いに相対する第一枢結孔２２１及び第二枢結孔２２２が設けられ、該第一枢結孔２２１及び該第二枢結孔２２２の周囲において、円弧状に外部に向かって広がる第一凸出部２２３及び第二凸出部２２４をそれぞれ設けており、該結合素子２１にはそれぞれ該付勢コイル３３の一端に係止して嵌入する一の下凸部２１１及び一の結合ベース２１０より突出する一の枢結部２１２が設けられ、該枢結部２１２の付近に陥凹する一の収容槽２１３を設けることで、該枢結部２１２は該接続素子２２にある該第一枢結孔２２１内に嵌入し、さらに該第一凸出部２２３に合わせて該結合素子２１にある収容槽２１３内に嵌入し、素子同士の離脱を防止する枢結構成を形成することができ、該弾押し素子２３の一端には突出する一の枢結部２３１が設けられ、該枢結部２３１の付近に陥凹する一の収容槽２３４を設け、該弾押し素子２３のもう一端には円弧部２３２が設けられ、該円弧部２３２は長手収納スペース３１内の弾丸Ａを係止することで、各弾丸Ａを持続的に該弾丸排出口３１１に向かって弾性的に移動するよう保持し、且つ該弾押し素子２３の二側面中間部分には必要に応じて陥凹する一の側面凹部２３３が設けられ、該枢結部２３１を利用して該接続素子２２にある該第二枢結孔２２２内に嵌入し、該第二凸出部２２４に合わせて該弾押し素子２３の該収容槽２３４内に嵌入し、素子同士の離脱を防止する枢結構成を形成することができる。
【００２２】
図５乃至７を参照すると、本考案を使用する際、実際の空間上の制限及びその他設計上の考慮から、該マガジン３の該弾丸排出口３１１と銃本体１のチャンバー１５２接合部分にはおそらく少なくとも一の湾曲したルート或いは通路が発生し、そのあと銃身１１に通じていることが分かる。そのため、該弾押しコンポーネント２が弾丸Ａをルート或いは通路に送り込まれる過程、特に弾丸が最後の一つ或いは複数の場合において、該接続素子２２と、該結合素子２１と、該弾押し素子２３とが互いに枢結する接続ロッド構造となっているため、該弾押し素子２３の一端にある該円弧部２３２及び二側面にある側面凹部２３３に合わせることで、該弾押しコンポーネント２は異なる湾曲したルート或いは通路の形状に伴ってこれに対応する湾曲が発生し、且つ何かの干渉現象も起こることがないため、該弾押し素子２３が弾丸Ａを送り出す過程において弾丸Ａが湾曲箇所で係止することを防ぐことができ、弾丸Ａが円滑に送り出されることを持続的に保持し、さらに該マガジン３内にあるすべての弾丸Ａを完全に該チャンバー１５２内に送り込み銃身１１から発射することが達成でき、弾丸Ａが該マガジン３内に残るという使用上の不具合を防止している。
【００２３】
図８乃至１０を参照すると、本考案の該マガジン３は銃本体１、即ちグリップ１２内に挿入されてポジショニングする際、該ラッチピン４の周囲局部に突起する該側面凸縁４２が丁度該マガジン３にある該凸部３２に係止することで、該マガジン３が外部に離脱しないよう保持するポジショニング状態となることが分かり、ユーザが該スイッチ部４３を押す（このとき該リセットコイル４１１は圧縮される）と、該側面凸部４２が連動して移動し、該凸部３２と分離することで、該マガジン３のポジショニングが解除され、該マガジン３は容易に力を受け（係止部３４より外部に向けて力を加える）、外部に滑走し該銃本体１、即ちグリップ１２から離脱することができ、且つ該マガジン３を取出した後、該ラッチピン４は該リセットコイル４１１の弾性作用を受けて元に位置に戻り、該マガジン３が再度銃本体１、即ちグリップ１２内に挿入する場合、該マガジン３の該凸部３２と該ラッチピン４の該側面凸縁４２とにある互いに相対する斜面によって、該凸部３２は該側面凸縁４２を押して該リセットコイル４１１を圧縮すると同時に、該凸部３２は該側面凸縁４２を通して、該リセットコイル４１１の開放された弾性作用を利用して該側面凸縁４２を該凸部３２に係止する位置に戻り、該マガジン３が使用する前の係止状態に回復している。
【００２４】
以上のことから、本考案に係る玩具銃のマガジン弾丸装填構造は装填動作の円滑及びマガジン内の全ての弾丸の効果を確実に向上することを有することから、産業上利用可能性、新規性及び進歩性等の登録要件を確実に有することは明白である。
【００２５】
なお、上記で述べたものは、本考案の一の好ましい実施例に過ぎず、本考案の請求の範囲を限定するものではない。本考案の請求の範囲を基に行った変化及び修正は、すべて本考案の請求範囲に属するものである。
【符号の説明】
【００２６】
１              銃本体
１０、１００    ハーフシェル
１１            銃身
１２            グリップ
１２１          モータ
１２２          ギア機構
１３            引き金
１４            動力発射コンポーネント
１５            マガジンスロット
１５１          開口
１５２          チャンバー
１６            横孔
１６１          凸柱
１６２          欠口
２              弾押しコンポーネント
２１            結合素子
２１０          結合ベース
２１１          下凸部
２１２          枢結部
２１３          収容槽
２２            接続素子
２２１          第一枢結孔
２２２          第二枢結孔
２２３          第一凸出部
２２４          第二凸出部
２３            弾押し素子
２３１          枢結部
２３２          円弧部
２３３          側面凹部
２３４          収容槽
３              マガジン
３０、３００    ハーフケース
３１            長手収納スペース
３１１          弾丸排出口
３２            凸部
３３            付勢コイル
３４            係止部
４              ラッチピン
４１            凹孔
４１１          リセットコイル
４２            側面凸縁
４３            スイッチ部
５              バッテリ
Ａ              弾丸
【図１】
0003189922.tif 000003
【図２】
0003189922.tif 000004
【図３】
0003189922.tif 000005
【図４】
0003189922.tif 000006
【図５】
0003189922.tif 000007
【図６】
0003189922.tif 000008
【図７】
0003189922.tif 000009
【図８】
0003189922.tif 000010
【図９】
0003189922.tif 000011
【図１０】
0003189922.tif 000012
【手続補正書】
【提出日】平成26年1月27日(2014.1.27)
【手続補正１】
【補正対象書類名】明細書
【補正対象項目名】００１１
【補正方法】変更
【補正の内容】
【００１１】
そのうち、該結合素子は、該付勢コイルの一端に嵌入する一の下凸部を設けている。
【手続補正２】
【補正対象書類名】実用新案登録請求の範囲
【補正対象項目名】請求項１
【補正方法】変更
【補正の内容】
【請求項１】
一端には外部に通じる開口を設け、もう一端には少なくとも発射準備する弾丸を収容する一のチャンバーを接合する一のマガジンスロットが内設する一の銃本体と、
該銃本体の該開口より該マガジンスロットに挿入され、弾丸を収納し、一端には該チャンバーの弾丸排出口に通じ、もう一端には付勢コイルを設ける一の長手収納スペースを有する一のマガジンと、
該長手収納スペース内に設けられ、一の接続素子とそれぞれ該接続素子の両端に枢結する一の結合素子及び一の弾押し素子とから構成し、該結合素子は該付勢コイルに係止し、該弾押し素子は該結合素子より離れた一端に長手収納スペース内の弾丸を係止する円弧部を設ける弾押しコンポーネントと、を包括していることを特徴とする玩具銃のマガジン弾丸装填構造。
【手続補正３】
【補正対象書類名】実用新案登録請求の範囲
【補正対象項目名】請求項５
【補正方法】変更
【補正の内容】
【請求項５】
該結合素子は、該付勢コイルの一端に嵌入する一の下凸部を設けることを特徴とする請求項１に記載の玩具銃のマガジン弾丸装填構造。